(57)【要約】【課題】サーバー型受信機を想定したサーバー型放送において、広告主が期待できる広告効果と視聴者の利便とを両立可能な広告コンテンツの提供方法およびシステムを提供する。【解決手段】大容量蓄積装置とネットワーク接続機能とを備えたサーバー型受信機を想定したサーバー型放送における広告コンテンツ提供方法において、サーバー型放送によって放送される各番組コンテンツに対応すべき最新の広告コンテンツを示す広告提供管理テーブルを形成するテーブル形成手順と、各サーバー型受信機に蓄積された番組コンテンツおよび広告コンテンツを示す蓄積実績情報を収集する実績情報収集手順と、蓄積実績情報と広告提供管理テーブルとに基づいて、各サーバー型受信機について、蓄積された広告コンテンツの削除、新たな広告コンテンツの追加および広告コンテンツの差し替えを含む広告コンテンツに関する変更の必要性を判断する判断手順と、判断手順において必要とされた広告コンテンツに関する変更を実行する変更手順とを備える。【選択図】      図１
2006270678.tif 000002
【特許請求の範囲】
【請求項１】
大容量蓄積装置とネットワーク接続機能とを備えたサーバー型受信機を想定したサーバー型放送における広告コンテンツ提供方法において、
前記サーバー型放送によって放送される各番組コンテンツに対応すべき最新の広告コンテンツを示す広告提供管理テーブルを形成するテーブル形成手順と、
前記各サーバー型受信機に蓄積された番組コンテンツおよび広告コンテンツを示す蓄積実績情報を収集する実績情報収集手順と、
前記各サーバー型受信機から収集した前記蓄積実績情報と前記広告提供管理テーブルとに基づいて、前記各サーバー型受信機について、蓄積された広告コンテンツの削除、新たな広告コンテンツの追加および広告コンテンツの差し替えを含む広告コンテンツに関する変更の必要性を判断する判断手順と、
前記判断手順において必要とされた広告コンテンツに関する変更を実行する変更手順と
を備えたことを特徴とする広告コンテンツ提供方法。
【請求項２】
大容量蓄積装置とネットワーク接続機能とを備えた少なくとも一つのサーバー型受信機に放送波およびネットワークを介して番組コンテンツおよび広告コンテンツを配信するデータ通信センタとからなるサーバー型放送システムにおける広告コンテンツ提供システムにおいて、
前記少なくとも一つのサーバー型受信機は、
前記大容量蓄積装置に蓄積されている番組コンテンツを示す番組コンテンツ一覧および広告コンテンツを示す広告コンテンツ一覧を前記データ通信センタに前記ネットワークを介して報告する報告手段を備え、
前記データ通信センタは、
前記サーバー型放送によって放送される各番組コンテンツに対応すべき最新の広告コンテンツを示す広告提供管理テーブルと、
前記ネットワークを介して受信した報告に含まれる番組コンテンツ一覧および広告コンテンツ一覧と、前記広告提供管理テーブルに保持された情報とを照合する照合手段と、
前記各サーバー型受信機に対応して得られた照合結果に基づいて、前記各サーバー型受信機に蓄積された広告コンテンツの削除、新たな広告コンテンツの追加および広告コンテンツの差し替えを含む広告コンテンツに関する変更の必要性を判断する判断手段と、
前記判断手段によって必要とされた広告コンテンツに関する変更にかかわる指示および必要な広告コンテンツを該当するサーバー型受信機に配信する広告変更手段とを備えた
ことを特徴とする広告コンテンツ提供システム。
【請求項３】
大容量蓄積装置とネットワーク接続機能とを備えた少なくとも一つのサーバー型受信機に放送波およびネットワークを介して番組コンテンツおよび広告コンテンツを配信するサーバー型放送システムに備えられ前記広告コンテンツの提供を管理する広告コンテンツサーバー装置において、
前記サーバー型放送によって放送される各番組コンテンツに対応すべき最新の広告コンテンツを示す広告提供管理テーブルと、
前記各サーバー型受信機に蓄積された番組コンテンツおよび広告コンテンツを示す蓄積実績情報に関する報告を前記ネットワークを介して収集する報告収集手段と、
前記各サーバー型受信機に対応して前記報告集積手段によって収集された前記報告に含まれる番組コンテンツ一覧および広告コンテンツ一覧と、前記広告提供管理テーブルに保持された情報とを照合する照合手段と、
前記各サーバー型受信機に対応して得られた照合結果に基づいて、前記各サーバー型受信機に蓄積された広告コンテンツの削除、新たな広告コンテンツの追加および広告コンテンツの差し替えを含む広告コンテンツに関する変更の必要性を判断する判断手段と、
前記判断手段によって必要とされた広告コンテンツに関する変更にかかわる指示および必要な広告コンテンツを該当するサーバー型受信機に配信する広告変更手段と
を備えたことを特徴とする広告コンテンツサーバー装置。
【請求項４】
請求項２に記載の広告コンテンツ提供システムにおいて、
前記データ通信センタは、
前記サーバー型放送によって放送される各番組コンテンツについて、それぞれがサーバー型受信機において再生されるときに、前記各番組コンテンツに対応付けられた少なくとも一つの広告コンテンツの再生条件を含む再生制御情報を保持する広告再生管理テーブルと、
前記番組コンテンツのいずれかに対応する広告コンテンツの再生条件を変更する旨の変更指示に応じて、前記広告再生管理テーブルの内容を更新する更新手段と、
前記広告変更手段による配信動作に伴って、変更対象となった広告コンテンツに関する再生条件を含む再生制御情報を該当するサーバー型受信機に配信する再生条件配信手段とを備える
ことを特徴とする広告コンテンツ提供システム。
【請求項５】
請求項４に記載の広告コンテンツ提供システムにおいて、
前記広告再生管理テーブルに保持される再生制御情報は、前記各番組の再生中に予想される視聴者からの再生要求内容に対応して、前記各番組に対応付けられた各広告コンテンツの再生条件を記述する情報を含む構成であり、
前記サーバー型受信機は、
視聴者によって入力される再生要求に応じて、再生中の番組コンテンツに対応して配信された再生制御情報に前記再生要求内容に対応して含まれている再生条件を抽出し、番組コンテンツおよび広告コンテンツの再生処理に供する条件抽出手段を備えた
ことを特徴とする広告コンテンツ提供システム。
【発明の詳細な説明】
【技術分野】
【０００１】
本発明は、サーバー型受信機を想定したサーバー型放送における広告コンテンツの提供方法および広告コンテンツ提供システム並びに広告コンテンツサーバー装置に関し、特に、広告コンテンツの提供元である広告主が期待できる広告効果と提供先である視聴者の利便とを両立可能なビジネスモデルを実現する技術に関する。
地上波デジタル放送の開始に伴い、デジタル映像・音響をデジタル信号のまま長時間に渡って蓄積可能な大容量のデータ蓄積装置を備えた受信機が広く市販されるようになっている。このような大容量の蓄積装置を備えた受信機に、更に、通信ネットワークとの接続機能と、デジタル放送用の受信機能とを備えた受信機は、サーバー型受信機と呼ばれている。
【０００２】
このような多様な機能を備えたサーバー型受信機を想定したサーバー型放送では、サーバー型受信機が備えている通信機能やコンテンツ蓄積機能を活用した新たな放送事業に関するビジネスモデルが求められている。特に、サーバー型放送において、従来のアナログ放送におけるコマーシャルに相当する広告コンテンツを視聴者に提供するビジネスモデルに関しては、広告主側の視点と視聴者側の視点との双方からの検討が必要とされている。
【背景技術】
【０００３】
サーバー型放送では、放送波あるいは通信ネットワークにより伝送される信号から映像や音響をリアルタイムで再生して利用者の視聴に供するリアルタイム視聴や伝送された信号を大容量蓄積装置に蓄積してこれをそのまま再生して利用者の視聴に供するタイムシフト視聴よりも、データ蓄積装置に蓄積された番組コンテンツを、例えば、ダイジェストだけ視聴する、所望のシーンだけを視聴するといった、デジタルデータならではの加工を施した上での視聴形態が、一般的な視聴形態となると考えられる。
【０００４】
このような新たな視聴形態では、コンテンツの送信に要する時間にかかわらず、コンテンツの再生を開始する時点において、大容量蓄積装置にコンテンツの再生に必要な情報がそろいさえすれば正常な再生が可能である。サーバー型放送では、このように、番組の視聴が配信とは非同期に行われることを前提としたコンテンツについては、映像信号および音響信号を再生するための情報を、通常の放送波の合間を縫って低い伝送速度で配信したり、また、ネットワークを経由してサーバー型受信機に配信したりといった様々なデータ伝送形態が想定されている。
【０００５】
また、サーバー型放送では、番組コンテンツ(番組本体と広告とを含む)とともに、番組本体を構成する各シーンや各チャプターなどのセグメント相互の関係やこれらのセグメントと広告についての再生スケジュールなど様々な情報を記述したメタデータを配信し、このメタデータに基づく再生制御により、シーンあるいはチャプターごとの再生やダイジェスト再生など視聴形態を提供する機能が提案されている。
【０００６】
図７に、サーバー型受信機の構成例を示す。
例えば、利用者がサーバー型受信機のコントローラを操作して入力した番組の蓄積予約要求は、ユーザインタフェース部４０５を介して蓄積制御部４０３に渡され、これに応じて、蓄積制御部４０３は、例えば、ネットワーク通信処理部４０２を介して、データ通信センタ(図示せず)にコンテンツ配信要求を送出し、該当する番組コンテンツの配信を要求する。
【０００７】
このコンテンツ配信要求に応じてデータ通信センタによってネットワークを介して配信されたコンテンツを構成するデータは、放送波受信部４０１あるいはネットワーク通信処理部４０２を介して蓄積制御部４０３に渡され、大容量蓄積装置４０４に番組コンテンツファイルおよびメタデータファイルとして蓄積される。
また、例えば、利用者がサーバー型受信機のコントローラを操作して入力した蓄積予約要求の対象が放送予定のデジタル放送番組であれば、ユーザインタフェース部４０５を介して蓄積予約要求を渡された蓄積制御部４０３は、当該番組放送時に放送波受信部４０１を介して番組コンテンツを構成するデータを受け取り、大容量蓄積装置４０４に番組コンテンツファイルおよびメタデータファイルとして蓄積する。
【０００８】
このようにして蓄積された番組コンテンツファイルは、図７に示すように、それぞれ独立して再生可能なｎ個のシーンに対応するファイル(図７において、シーン(１)〜シーン(ｎ)として示す)を含んでいる。また、この放送コンテンツファイルとともに大容量蓄積装置４０４に蓄積されるメタデータファイルは、上述した放送コンテンツにおけるファイル形式に関する情報や、各シーンに関する詳細情報などを含んでいる。また、番組放送予定などの情報も、メタデータファイルとしてサーバー型受信機に配信され、上述した蓄積予約機能などの処理に供される。
【０００９】
また、サーバー型放送システムでは、このようにしてサーバー型受信機に蓄積された番組コンテンツやメタデータを更新したり削除したりする機能の提供が想定されている(非特許文献１参照)。なお、放送コンテンツファイルおよびメタデータファイルのファイル形式や伝送方法およびメタデータの記述形式の詳細については、非特許文献１を参照されたい。
【００１０】
このようにメタデータとともに蓄積された番組コンテンツについてダイジェスト再生などの特殊再生を行うことができる。この場合には、まず、ユーザインタフェース部４０５からの要求に応じて再生処理部４０７は、メタデータ処理部４０６を介して番組コンテンツの詳細情報を取得する。このとき、メタデータ処理部４０６により、蓄積制御部４０３を介して指定された番組コンテンツに対応するメタデータファイルが読み出されて、メタデータ処理部４０６による内容の解釈処理に供される。そして、解釈結果として得られたメタデータは、再生処理部４０７を介してユーザインタフェース部４０５に返され、特殊再生機能の処理に供される。
【００１１】
このようにして得られたメタデータによって示されたファイル形式と利用者がコントローラを操作して入力した指示とに基づいて、ユーザインタフェース部４０５が利用者からの指示で示されたシーンに対応するファイルの再生を再生処理部４０７に指示することにより、シーン単位のダイジェスト再生が実現され、再生された映像信号および音響信号が表示部およびスピーカを介して出力される。
【００１２】
このようにして、蓄積されたコンテンツについては、番組内容の各シーンをそれぞれ独立したセグメントとして扱うことにより、多種多様な視聴形態を利用者に提供することができる。
デジタル放送の本格的な展開に伴って、サーバー型放送の機能を利用することによって一旦蓄積された後に再生されて利用者に提供される蓄積コンテンツもまた、企業などの広告主にとって有力な広告媒体となることが期待されている。
【００１３】
例えば、図７に示した番組コンテンツファイルのｎ個のシーンに対応するファイル(図７において、シーン(１)〜シーン(ｎ)として示す)に加えて、これらのシーンの合間に再生されるｍ個の広告に対応するファイル(図７において、広告(１)〜広告(ｍ)として示す)を付加し、例えば、この番組コンテンツに対応するメタデータにおいて、各シーンと各広告とについての再生スケジュールを規定することにより、蓄積コンテンツを広告媒体として利用することができる。
【００１４】
そして、このようにして構成された蓄積コンテンツを広告媒体とする広告を放送することの見返りとして、広告主との間で番組コンテンツの提供に関する契約を結ぶことができれば、既存の民間放送と同様のサービス、つまり、番組と同時に広告を視聴する代わりに、視聴者に無償で番組コンテンツを提供するサービスの展開が可能となる。
なお、リアルタイム視聴を前提としているコンテンツの場合は、番組内容と広告とが一体となっているので、基本的に番組内容の視聴とともに広告内容も視聴されることが期待できる。また、このようなリアルタイム視聴用のコンテンツを蓄積しておき、蓄積したデータから広告コンテンツを抽出して別ファイルとして新たに蓄積し、これらを番組とは別個に視聴できるようにして、広告コンテンツを情報源として利用する技術も提案されている(特許文献１参照)。
【特許文献１】特開２００２−１８５８７９号公報
【非特許文献１】情報通信審議会  サーバー型放送システム委員会  報告書「大容量蓄積機能を活用するデジタル放送方式に関する技術的条件」、平成１４年９月３０日、サーバー型放送システム委員会
【発明の開示】
【発明が解決しようとする課題】
【００１５】
一般に知られているように広告には季節性や時限性があり、蓄積した番組コンテンツの視聴時期が想定された時期から大きくずれると、その番組コンテンツに含まれる広告による広告効果が大幅に減じてしまう。このため、民間放送タイプのサービス形態を採用するサーバー型放送サービスでは、広告効果が高い期間に番組とともに広告が視聴されることを条件として、広告主が番組コンテンツを提供する場合も考えられる。これに応じて、例えば、視聴制御情報の一部として視聴可能期間を設定したメタデータを番組コンテンツとともに配信し、蓄積された番組コンテンツを視聴可能な期間を制限した上で利用者に提供すれば、広告主の意向を反映したサーバー型放送サービスを提供することはできる。
【００１６】
しかしながら、このように視聴者の自由度を制限するようなサービス形態では、デジタル放送サービスの視聴者の利便性が大きく低下してしまう。特に、設定された視聴可能期間が短いと、サーバー型放送によって提供されるはずの放送時間からの解放を享受することができなくなり、サーバー型放送サービス自体への視聴者の満足度も大幅に低下するおそれがある。
【００１７】
また一方、蓄積コンテンツでは、番組内容と広告とをそれぞれ独立性の高いセグメントとして扱うことにより、視聴者は、上述したような自由な視聴が可能であるというメリットを享受することができる。その反面、このような蓄積コンテンツの再生スケジュールを完全に視聴者に任せてしまうと、広告部分が早送りされたりスキップされたりして、広告の内容が全く視聴されないことも考えられる。つまり、広告が視聴者によって視聴される機会を確保できなくなってしまう可能性がある。
【００１８】
これに対して、広告部分のセグメントのスキップを許さないなどの再生制御を予め組み込んだメタデータを番組コンテンツとともに配信することで、番組本体コンテンツの視聴と同時の広告コンテンツの視聴を保証することも可能ではある。しかし、このようにして広告主側の意向のみを一方的に番組コンテンツの再生スケジュールに反映させたのでは、視聴者の幅広い支持を得ることは期待できない。
【００１９】
これらのことから、視聴可能期間をできるだけ長くしながら、広告効果を維持する仕組みや、再生制御に利用者の好みを反映させながら、広告コンテンツが視聴される機会を確保する仕組みを確立することが、民間放送タイプの番組コンテンツ提供サービスをサーバー型放送の枠組みにおいて継続的に成立させるために必要不可欠である。  
本発明は、サーバー型受信機を想定したサーバー型放送において、広告コンテンツの提供元である広告主が期待できる広告効果と提供先である視聴者の利便とを両立可能な広告コンテンツの提供方法および広告コンテンツ提供システム並びに広告コンテンツ管理サーバー装置を提供することを目的とする。
【課題を解決するための手段】
【００２０】
本発明にかかわるサーバー型放送における広告コンテンツ提供方法は、テーブル形成手順と、実績情報収集手順と、判断手順と、変更手順とから構成される。
本発明にかかわるサーバー型放送における広告コンテンツ提供方法の原理は、以下の通りである。
大容量蓄積装置とネットワーク接続機能とを備えたサーバー型受信機を想定したサーバー型放送における広告コンテンツ提供方法において、テーブル形成手順は、サーバー型放送によって放送される各番組コンテンツに対応すべき最新の広告コンテンツを示す広告提供管理テーブルを形成する。実績情報収集手順は、各サーバー型受信機に蓄積された番組コンテンツおよび広告コンテンツを示す蓄積実績情報を収集する。判断手順は、各サーバー型受信機から収集した蓄積実績情報と広告提供管理テーブルとに基づいて、各サーバー型受信機について、蓄積された広告コンテンツの削除、新たな広告コンテンツの追加および広告コンテンツの差し替えを含む広告コンテンツに関する変更の必要性を判断する。変更手順は、判断手順において必要とされた広告コンテンツに関する変更を実行する。
【００２１】
このように構成されたサーバー型放送における広告コンテンツ提供方法の動作は、下記の通りである。
テーブル形成手順によって形成された広告提供管理テーブルにより、各番組コンテンツに対応すべき最新の広告コンテンツが示され、また、実績情報収集手順により、例えば、各サーバー型受信機から蓄積済みの番組コンテンツおよび広告コンテンツを示す番組コンテンツＩＤおよび広告コンテンツＩＤの一覧が収集される。したがって、判断手順において、番組コンテンツＩＤの一覧で示された各番組ＩＤに対応して広告提供管理テーブルに格納された広告コンテンツＩＤとを照合することにより、各番組コンテンツに対応して蓄積されているべき広告コンテンツの集合と、それらの番組コンテンツに対応して各サーバー型受信機に蓄積されている広告コンテンツとの差異を抽出し、これに基づいて、広告コンテンツに関する変更の必要性を判断することができる。
【００２２】
例えば、サーバー型受信機から収集された一覧に番組コンテンツＩＤで示された番組に対応して広告提供管理テーブルに示された広告コンテンツを示す広告コンテンツＩＤが収集された一覧に含まれていない場合は、これに基づく判断結果に応じて、変更手順により、該当する広告コンテンツが上述したサーバー型受信機に配信される。
このようにして、各サーバー型受信機に蓄積されている広告コンテンツを適宜変更していくことにより、各サーバー型受信機に番組コンテンツが蓄積された時期にかかわらず、蓄積されている番組コンテンツの再生に伴って最新の広告コンテンツを再生させることができる。
【００２３】
本発明にかかわるサーバー型放送における第１の広告コンテンツ提供システムは、サーバー型受信機に報告手段とを備え、データ通信センタに広告提供管理テーブルと、照合手段と、判断手段と、広告変更手段とを備えて構成される。
本発明にかかわるサーバー型放送における第１の広告コンテンツ提供システムの原理は、以下の通りである。
【００２４】
大容量蓄積装置とネットワーク接続機能とを備えた少なくとも一つのサーバー型受信機に放送波およびネットワークを介して番組コンテンツおよび広告コンテンツを配信するデータ通信センタとからなるサーバー型放送システムにおける広告コンテンツ提供システムの少なくとも一つのサーバー型受信機において、報告手段は、大容量蓄積装置に蓄積されている番組コンテンツを示す番組コンテンツ一覧および蓄積された広告コンテンツを示す広告コンテンツ一覧をデータ通信センタにネットワークを介して報告する。また、データ通信センタにおいて、広告提供管理テーブルは、サーバー型放送によって放送される各番組コンテンツに含まれるべき最新の広告コンテンツを示す。照合手段は、ネットワークを介して受信した報告に含まれる番組コンテンツ一覧および広告コンテンツ一覧と、広告提供管理テーブルに保持された情報とを照合する。判断手段は、各サーバー型受信機に対応して得られた照合結果に基づいて、各サーバー型受信機に蓄積された広告コンテンツの削除、新たな広告コンテンツの追加および広告コンテンツの差し替えを含む広告コンテンツに関する変更の必要性を判断する。広告変更手段は、判断手段によって必要とされた広告コンテンツに関する変更にかかわる指示および必要な広告コンテンツを該当するサーバー型受信機に配信する。
【００２５】
このように構成されたサーバー型放送における第１の広告コンテンツ提供システムの動作は、下記の通りである。
データ通信センタにおいては、常に、最新の情報に基づいて、広告提供管理テーブルが整備されており、一方、サーバー型受信機の報告手段により、各サーバー型受信機に蓄積された番組コンテンツおよび広告コンテンツを示す番組コンテンツＩＤの一覧および広告コンテンツＩＤの一覧が、定期的にデータ通信センタに報告される。
【００２６】
このようにしてデータ通信センタに集められた報告は、照合手段により、例えば、サーバー型受信機に対応して保持された番組コンテンツＩＤの一覧で示された各番組について、その番組に対応して広告提供管理テーブルに示された広告コンテンツを示す広告コンテンツＩＤの一覧を取得し、この広告コンテンツＩＤの一覧と報告集積手段に該当するサーバー型受信機に対応して保持された広告コンテンツの一覧とが照合される。これにより、各番組コンテンツに対応して蓄積されているべき広告コンテンツの集合と、それらの番組コンテンツに対応して各サーバー型受信機に蓄積されている広告コンテンツとの差異を抽出し、判断手段の処理に供することができる。
【００２７】
例えば、照合手段による照合結果として、サーバー型受信機に蓄積されている広告コンテンツＡの広告コンテンツＩＤが上述した広告提供管理テーブルに含まれておらず、逆に、このサーバー型受信機に蓄積されている番組に対応して広告提供管理テーブルに保持されている広告コンテンツＢの広告コンテンツＩＤが、上述したサーバー型受信機に対応して報告集積手段に保持された広告コンテンツＩＤの一覧に含まれていない場合は、判断手段により、上述した広告コンテンツＡを広告コンテンツＢに差し替える処理が必要であると判断される。この判断結果に基づいて、広告変更手段により、広告コンテンツを置き換える旨の変更指示と広告コンテンツＢが、上述したサーバー型受信機に例えばネットワークを介して配信され、これに応じて、このサーバー型受信機において、上述した変更指示で指定された広告コンテンツＡが新たに配信された広告コンテンツＢによって置き換えられる。
【００２８】
このようにして、各サーバー型受信機に蓄積されている広告コンテンツを適宜変更していくことにより、各サーバー型受信機に番組コンテンツが蓄積された時期にかかわらず、蓄積されている番組コンテンツの再生に伴って最新の広告コンテンツを再生させることができる。
本発明にかかわるサーバー型放送における広告コンテンツサーバー装置は、広告提供管理テーブルと、報告収集手段と、照合手段と、判断手段と、広告変更手段とから構成される。
【００２９】
本発明にかかわるサーバー型放送における広告コンテンツサーバー装置の原理は、以下の通りである。
大容量蓄積装置とネットワーク接続機能とを備えた少なくとも一つのサーバー型受信機に放送波およびネットワークを介して番組コンテンツおよび広告コンテンツを配信するサーバー型放送システムに備えられ広告コンテンツの提供を管理する広告コンテンツサーバー装置において、広告提供管理テーブルは、サーバー型放送によって放送される各番組コンテンツに対応すべき最新の広告コンテンツを示す。報告収集手段は、各サーバー型受信機に蓄積された番組コンテンツおよび広告コンテンツを示す蓄積実績情報に関する報告をネットワークを介して収集する。照合手段は、各サーバー型受信機から収集された報告に含まれる番組コンテンツ一覧および広告コンテンツ一覧と、広告提供管理テーブルに保持された情報とを照合する。判断手段は、各サーバー型受信機に対応して得られた照合結果に基づいて、各サーバー型受信機に蓄積された広告コンテンツの削除、新たな広告コンテンツの追加および広告コンテンツの差し替えを含む広告コンテンツに関する変更の必要性を判断する。広告変更手段は、判断手段によって必要とされた広告コンテンツに関する変更にかかわる指示および必要な広告コンテンツを該当するサーバー型受信機に配信する。
【００３０】
このように構成されたサーバー型放送における広告コンテンツサーバー装置の動作は、下記の通りである。
広告コンテンツサーバー装置においては、常に、最新の情報に基づいて、広告提供管理テーブルが整備されており、一方、各サーバー型受信機における蓄積実績情報を含む報告は、例えば、各サーバー型受信機によって定期的にネットワークに送出されて、広告コンテンツサーバー装置の報告収集手段によって収集され、照合手段による照合処理に供される。この照合手段により、例えば、サーバー型受信機に対応して保持された番組コンテンツＩＤの一覧で示された各番組について、その番組に対応して広告提供管理テーブルに示された広告コンテンツを示す広告コンテンツＩＤの一覧を取得し、この広告コンテンツＩＤの一覧と報告集積手段に該当するサーバー型受信機に対応して保持された広告コンテンツの一覧とが照合される。これにより、各番組コンテンツに対応して蓄積されているべき広告コンテンツの集合と、それらの番組コンテンツに対応して各サーバー型受信機に蓄積されている広告コンテンツとの差異を抽出し、判断手段の処理に供することができる。
【００３１】
例えば、照合手段による照合結果として、サーバー型受信機に蓄積されている広告コンテンツＡの広告コンテンツＩＤが上述した広告提供管理テーブルに含まれていない場合は、判断手段により、上述した広告コンテンツＡの削除が必要であると判断される。この判断結果に基づいて、広告変更手段により、広告コンテンツを削除する旨の変更指示が、上述したサーバー型受信機に例えばネットワークを介して配信され、これに応じて、このサーバー型受信機において、上述した変更指示で指定された広告コンテンツＡが削除される。
【００３２】
このようにして、各サーバー型受信機に蓄積されている広告コンテンツを適宜変更していくことにより、各サーバー型受信機に番組コンテンツが蓄積された時期にかかわらず、蓄積されている番組コンテンツの再生に伴って最新の広告コンテンツを再生させることができる。
本発明にかかわるサーバー型放送における第２の広告コンテンツ提供システムは、上述した第１の広告コンテンツ提供システムにおいて、データ通信センタに、広告再生管理テーブルと、更新手段と、再生条件配信手段とを備えて構成される。
【００３３】
本発明にかかわるサーバー型放送における第２の広告コンテンツ提供システムの原理は、以下の通りである。
上述した第１の広告コンテンツ提供システムのデータ通信センタにおいて、広告再生管理テーブルは、サーバー型放送によって放送される各番組コンテンツについて、それぞれがサーバー型受信機において再生されるときに、各番組コンテンツに対応付けられた少なくとも一つの広告コンテンツの再生条件を含む再生制御情報を保持する。更新手段は、番組コンテンツのいずれかに対応する広告コンテンツの再生条件を変更する旨の変更指示に応じて、広告再生管理テーブルの内容を更新する。再生条件配信手段は、広告変更手段による配信動作に伴って、変更対象となった広告コンテンツに関する再生条件を含む再生制御情報を該当するサーバー型受信機に配信する。
【００３４】
このように構成されたサーバー型放送における第２の広告コンテンツ提供システムの動作は、下記の通りである。
例えば、広告主からの要望に応えて、番組コンテンツに対応する広告コンテンツを上述したようにして変更した際などに、更新手段により、広告再生管理テーブルに各番組コンテンツに対応して保持された再生制御情報が更新され、この広告再生管理テーブルに保持された再生制御情報が、再生条件配信手段により、例えばメタデータファイルとして、該当するサーバー型受信機に適宜配信される。これにより、サーバー型受信機に蓄積された各番組コンテンツに対応するメタデータは、それぞれの番組コンテンツに対応する広告コンテンツに関して最新の再生条件を含むように管理される。
【００３５】
本発明にかかわるサーバー型放送における第３の広告コンテンツ提供システムは、上述した第２の広告コンテンツ提供システムにおいて、再生制御情報に再生条件を含み、サーバー型受信機に、条件抽出手段を備えて構成される。
本発明にかかわるサーバー型放送における第３の広告コンテンツ提供システムの原理は、以下の通りである。
【００３６】
上述した第２の広告コンテンツ提供システムにおいて、広告再生管理テーブルに保持される再生制御情報は、各番組の再生中に予想される視聴者からの再生要求内容に対応して、各番組に対応付けられた各広告コンテンツの再生条件を記述する情報を含む構成であり、サーバー型受信機において、条件抽出手段は、視聴者によって入力される再生要求に応じて、再生中の番組コンテンツに対応して配信された再生制御情報に再生要求内容に対応して含まれている再生条件を抽出し、番組コンテンツおよび広告コンテンツの再生処理に供する。
【００３７】
このように構成されたサーバー型放送における第３の広告コンテンツ提供システムの動作は、下記の通りである。
広告再生管理テーブルに保持される再生制御情報は、視聴者からの再生要求内容に対応する再生条件を含んでおり、この再生制御情報が、再生条件配信手段によって適宜サーバー型受信機に配信される。また、このようにしてサーバー型受信機に配信された再生制御情報に含まれる再生条件は、条件抽出手段により、番組コンテンツを再生中に視聴者による早送りなどの再生要求が入力された際に抽出され、番組コンテンツおよび広告コンテンツの再生処理に供される。
【００３８】
これにより、各サーバー型受信機においては、上述したようにして番組コンテンツおよび広告コンテンツとは独立に配信された再生制御情報と視聴者による再生要求とに基づいて、番組コンテンツの再生中の具体的な動作が決定される。つまり、再生制御情報に反映された広告主の意向と再生要求に反映される視聴者の意向の双方を考慮して実際の再生処理を行うことができる。
【発明の効果】
【００３９】
上述したように、本発明にかかわる広告コンテンツ提供方法および第１の広告コンテンツ提供システム並びに広告コンテンツサーバー装置によれば、サーバー型放送における番組コンテンツおよび広告コンテンツの配信対象であるサーバー型受信機に蓄積された番組コンテンツに対応する広告コンテンツを最新のものに差し替えることができる。これにより、番組コンテンツに対応付けられた広告コンテンツの内容が、番組コンテンツの蓄積時期と視聴時期とのずれなどによって季節にそぐわなくなるなどの広告効果の低下を防ぐことができる。
【００４０】
このような特徴を持つ広告コンテンツ提供方法および第１の広告コンテンツ提供システム並びに広告コンテンツサーバー装置を採用すれば、サーバー型放送サービスの提供者は、広告主に対して長期間に渡る視聴可能期間の設定を推奨することができる。つまり、視聴可能期間の長期化による視聴者の利便性と広告コンテンツの広告効果の維持とを両立させることができる。
【００４１】
また、第２の広告コンテンツ提供システムによれば、広告コンテンツの更新に連動して再生制御情報を更新することにより、例えば、指定した広告コンテンツを一定の期間に渡って優先的に再生するなどの制御が可能となるので、キャンペーンに関する広告など特に時期との結びつきが強い広告に関する広告効果の増大を図ることができる。また、番組の蓄積後に、該当する放送コンテンツに関する提供関係が変わった場合などにも、柔軟に対応することができる。
【００４２】
このような広告効果の維持を根拠とすれば、サーバー型放送サービスの提供者と広告主との間で長期間に渡る番組コンテンツの提供契約の締結することが可能となり、これにより、サーバー型受信機に蓄積された番組コンテンツの視聴可能期間の更なる長期化を図ることができる。
更に、上述した第３の広告コンテンツ提供システムによれば、番組の再生中に視聴者が行う操作に応じて、広告主に意向に沿って設定された再生スケジュールに従う再生処理をサーバー型受信機に行わせることができるので、広告が視聴される機会を確保しつつ、番組コンテンツの再生に視聴者の好みを反映することができる。これにより、様々な再生要求に応じた視聴を可能とすることによる視聴者の利便性と広告コンテンツの視聴機会を確保することによる広告効果の維持とを両立させることができる。
【発明を実施するための最良の形態】
【００４３】
以下、図面に基づいて、本発明の実施形態について詳細に説明する。
図１に、本発明にかかわる広告コンテンツ提供システムの実施形態を示す。また、図２に、本発明にかかわる番組コンテンツおよび広告コンテンツの説明図を示す。
なお、図１に示す構成要素のうち、図７に示した各部と同等のものについては、図７に示した符号を付して示し、その説明を省略する。
【００４４】
図１に示した広告コンテンツ提供システムでは、サーバー型放送サービスの番組コンテンツの配信を行う番組サーバー装置(図示せず)とは別に設けた広告コンテンツサーバー装置２２０により、各サーバー型受信機２１０に蓄積されている広告コンテンツを管理する。
図１に示したサーバー型受信機２１０は、図７に示した各部に加えて、蓄積実績報告処理部２１１を備えて構成されている。
【００４５】
ここで、本発明にかかわる広告コンテンツ提供システムを採用したサーバー型放送サービスでは、サーバー型受信機２１０に放送波あるいはネットワークを介するデータ通信によって配信される広告コンテンツは、図１に示した大容量蓄積装置４０４に、図２に示すように、個々の番組コンテンツファイルおよびこれらに対応するメタデータファイルと同様に、それぞれ独立したコンテンツファイルとして蓄積される。上述した番組コンテンツおよび広告コンテンツには、それぞれ番組コンテンツＩＤおよび広告コンテンツＩＤが与えられている。
【００４６】
また、この大容量蓄積装置４０４には、各番組コンテンツに対応する番組情報メタデータやセグメンテーションメタデータを含むメタデータファイル(図２においては、詳細情報メタデータとして示す)に加えて、番組コンテンツに対応付けられた広告コンテンツを示す情報やこれらの広告コンテンツの再生にかかわる情報を含む広告再生管理情報を記述したメタデータファイル(図２においては、広告再生管理情報メタデータとして示す)が格納されている。
【００４７】
このようにして大容量蓄積装置４０４に蓄積された番組コンテンツおよび広告コンテンツに与えられた番組コンテンツＩＤおよび広告コンテンツＩＤは、蓄積実績報告処理部２１１により、蓄積制御部４０３を介して定期的に収集される。そして、蓄積実績報告処理部２１１は、このようにして収集した情報に基づいて、番組コンテンツＩＤ一覧および広告コンテンツＩＤ一覧を含む蓄積実績報告を作成し、ネットワーク通信処理部４０２を介してネットワークに送出する。
【００４８】
一方、図１に示した広告コンテンツサーバー装置２２０において、広告コンテンツストレージ２２１は、サーバー型放送サービスにおいて提供される広告コンテンツを広告コンテンツＩＤに対応して蓄積しており、一方、広告提供管理テーブル２２２は、サーバー型放送サービスにおいて提供される各番組コンテンツに対応付けて提供される広告コンテンツを示す広告提供管理情報を格納している。また、図１に示した広告再生管理テーブル２２３には、各番組コンテンツに対応して、その番組コンテンツの利用可能期間や対応付けられた広告コンテンツの再生に関する条件などをサーバー型放送におけるメタデータに適した形式に従って記述した広告再生管理情報が格納されている。
【００４９】
また、図１に示した広告管理部２２４は、サーバー型放送システムのオペレータによって入力される指示に基づいて、上述した広告コンテンツストレージ２２１に蓄積される広告コンテンツを管理するとともに、広告提供管理テーブル２２２および広告再生管理テーブル２２３に格納される情報を作成し、また、これらの情報を管理する。
上述したサーバー型受信機２１０によりネットワークに送出された蓄積実績報告は、図１に示した広告コンテンツサーバー装置２２０のネットワーク通信処理部２２５を介して照合処理部２２６に渡される。この照合処理部２２６は、ネットワーク通信処理部２２５から渡された蓄積実績報告と広告提供管理テーブル２２２の内容を照合し、照合結果を配信管理部２２７の処理に供する。図１に示した配信管理部２２７は、照合処理部２２６による照合結果と蓄積実績報告に含まれる番組コンテンツＩＤ一覧とに基づいて、広告コンテンツストレージ２２１および広告再生管理テーブル２２３に保持された情報から蓄積実績報告の送信元のサーバー型受信機に配信すべき情報を収集する。また、この配信管理部２２７によって収集された情報は、ネットワーク通信処理部２２５を介して上述したサーバー型受信機を宛て先としてネットワークに送出される。
【００５０】
次に、上述した蓄積実績報告に応じて、広告コンテンツサーバー装置によって行われる処理について説明する。
図３に、広告コンテンツサーバー装置の動作を表す流れ図を示す。
上述した蓄積実績報告の入力に応じて、図１に示した照合処理部２２６は、まず、番組コンテンツＩＤ一覧で示された蓄積されている番組コンテンツに対応して広告提供管理テーブル２２２に保持された広告コンテンツＩＤを検索する(ステップ３０１)。次に、照合処理部２２６は、ステップ３０１で得られた検索結果と蓄積実績報告に含まれる広告コンテンツＩＤ一覧とを照合し(ステップ３０２)、照合結果を配信処理部２２７の処理に供する。
【００５１】
照合結果によって何らかの不一致があることが示された場合に、配信処理部２２７は、ステップ３０３の肯定判定とし、まず、不足している広告コンテンツがあるか否かを判定する(ステップ３０４)。
例えば、ステップ３０１で得られた検索結果に含まれている広告コンテンツＩＤが、蓄積実績報告に含まれている広告コンテンツＩＤ一覧に含まれていない場合に、配信処理部２２７は、上述したステップ３０４の肯定判定としてステップ３０５に進み、広告コンテンツストレージ２２１から該当する広告コンテンツを読み出してこれらを含むコンテンツリストを作成し、ネットワーク通信処理部２２５を介してこのコンテンツリストをネットワークに送出し、上述した蓄積実績報告の送信元のサーバー型受信機に配信する。
【００５２】
一方、ステップ３０４の否定判定の場合は、上述したステップ３０５の処理はスキップされる。
ところで、ステップ３０１で得られた検索結果に含まれていない広告コンテンツＩＤが、蓄積実績報告に含まれている広告コンテンツＩＤ一覧に含まれている場合に、配信処理部２２７は、過剰な広告コンテンツが蓄積されていると判断する(ステップ３０６の肯定判定)。このとき、配信処理部２２７は、該当する広告コンテンツを示す広告コンテンツＩＤ一覧とこれらの広告コンテンツを削除する旨の削除指示を作成し、ネットワーク通信処理部２２５を介してこの削除指示およびその対象を示す広告コンテンツ一覧をネットワークに送出し、上述した蓄積実績報告の送信元のサーバー型受信機に配信する。
【００５３】
一方、ステップ３０６の否定判定の場合は、上述したステップ３０７の処理はスキップされる。
上述したようにして、広告コンテンツに関する更新処理が完了した後に、あるいは、上述したステップ３０３の否定判定の場合に、配信処理部２２７は、ステップ３０８において、広告再生管理情報の配信処理を行う。このとき、配信処理部２２７は、まず、上述した蓄積実績報告に含まれる番組コンテンツＩＤ一覧で示された各番組コンテンツに対応して広告再生管理テーブル２２３に保持された広告再生管理情報を読み出す。次いで、配信処理部２２７は、読み出した広告再生管理情報をネットワーク通信処理部２２５を介してネットワークに送出し、上述した各番組コンテンツに対応する最新の広告再生管理情報として上述したサーバー型受信機に配信して処理を終了する。
【００５４】
サーバー型受信機２１０に備えられた蓄積制御部４０３は、コンテンツあるいはメタデータファイルの削除および更新を行う機能を備えている。
したがって、上述したようにして、サーバー型受信機２１０からの蓄積実績報告に応じて、広告コンテンツサーバー装置２２０によって新たに配信された広告コンテンツは、サーバー型受信機２１０の大容量蓄積装置４０４に追加され、一方、削除指示とともに配信された広告コンテンツＩＤ一覧で示された広告コンテンツは、サーバー型受信機２１０の大容量蓄積装置４０４から削除される。
【００５５】
このようにして、例えば、番組コンテンツが蓄積されてからの時間経過により、番組コンテンツの蓄積に伴って蓄積された広告コンテンツの内容が、現在の季節にそぐわなくなった場合などに、元の広告コンテンツを現在の季節に合った広告コンテンツに差し替えることができる。
これにより、サーバー型受信機２１０の大容量蓄積装置４０４に蓄積されている広告コンテンツを常に最新のものに保つことができる。つまり、大容量蓄積装置４０４には、蓄積された番組コンテンツとともに、この番組コンテンツを提供している広告主が番組とともに視聴することを期待する広告効果の高い広告コンテンツが蓄積されていることになる。また、蓄積された番組コンテンツの提供元が変わった場合などにも、この番組コンテンツとともに蓄積される広告コンテンツを新しい広告主によって提供される広告コンテンツに入れ替えることにより、柔軟に対応することができる。
【００５６】
また、上述した広告コンテンツの配信とともに、広告コンテンツサーバー装置２２０から配信された広告再生管理情報は、大容量蓄積装置４０４に既に蓄積されている広告再生管理情報に上書きされる。
したがって、広告再生管理情報についても、常に最新のものがサーバー型受信機２１０の大容量蓄積装置４０４に蓄積されている状態が保たれる。
【００５７】
次に、上述したようにして管理される広告再生管理情報に基づいて、サーバー型受信機２１０において広告コンテンツの再生に関する制御を実現する方法について説明する。
まず、広告再生管理情報について、図４に示す例を使って説明する。
図４に示した広告再生管理情報では、視聴者がコントローラを用いて入力した再生操作とその再生操作が入力される直前の再生状態との組み合わせによって示される視聴者による再生要求に対応して、それぞれに適用すべき再生条件を示している。
【００５８】
図４に示した例では、再生操作として早送り、チャプター表示、シーン表示が入力された場合は、直前状態にかかわらず、ロゴマークあるいは指定された静止画像をそれぞれの操作画面に重畳表示する旨が示されており、ロゴマークあるいは指定された静止画像の表示のために再生する広告コンテンツを示す広告コンテンツＩＤが広告ＩＤの欄に示されている。また、ダイジェスト視聴が再生操作として入力された場合には、直前表示にかかわらず、ダイジェスト再生に先立って、広告ＩＤ欄で示された広告コンテンツＩＤで示される広告コンテンツを再生することによって、通常広告を再生する旨が示されている。また、初期状態であるときに通常再生を指示する再生操作が入力された場合に対応する再生条件としては、セグメンテーション情報に従う通常再生を行う旨、つまり、セグメンテーション情報において広告部分とされているセグメントにおいて、広告ＩＤ欄に示した広告コンテンツを再生することによって通常広告を再生し、他の部分については番組内容を通常再生する旨が示されている。一方、直前状態が早送り、チャプター移動およびシーン移動のときに通常再生を指示する再生操作が入力された場合に対応する再生条件により、上述した通常再生に先立って、広告ＩＤ欄で示された広告コンテンツＩＤで示される広告コンテンツを再生することによって、ダイジェスト広告を再生する旨が示されている。また、番組再生中に番組情報表示を要求する再生操作が入力された場合に対応する再生条件により、広告ＩＤ欄で示された広告コンテンツＩＤで示される広告コンテンツを再生することによって、ロゴマークあるいは指定された静止画像を番組情報表示画面に重畳表示する旨が示され、広告再生中に番組情報表示を要求する再生操作が入力された場合に対応する再生条件により、広告ＩＤ欄で示された広告コンテンツＩＤで示される広告コンテンツを再生することによって、インフォマーシャルを再生する旨が示されている。
【００５９】
次に、上述したような広告再生管理情報に基づいてコンテンツの再生を制御する方法について説明する。
図５に、番組コンテンツ再生スケジュール決定動作を表す流れ図を示す。
利用者によって番組コンテンツが選択されると、再生処理部４０７は、まず、選択された番組に対応するメタデータの取得をメタデータ処理部４０６に要求する。このとき、メタデータ処理部４０６により、指定された番組コンテンツに対応する詳細情報メタデータとともに広告再生管理情報メタデータが大容量蓄積装置４０４から抽出され、これらのメタデータについての解釈結果が再生処理部４０７に渡される。
【００６０】
これにより、以降は、再生処理部４０７により、詳細情報メタデータに記述されたセグメンテーション情報に基づく通常再生のための再生制御とともに、広告再生管理情報を参照することにより、この広告再生管理情報で示された再生条件に従う再生制御を実行することが可能となる。
このようにして広告再生管理情報を取得した後、再生処理部４０７は、利用者によって再生操作が入力されるごとに、まず、広告再生管理情報で示された利用可能期間と現在の日時とを比較し(ステップ３１１)、現在の日時が利用可能期間内であれば、選択された番組コンテンツの利用が可能であると判断して(ステップ３１２の肯定判定)、再生操作が入力される直前の表示状態を取得する(ステップ３１３)。
【００６１】
次に、再生処理部４０７は、入力された再生操作とこの直前状態との組み合わせと取得した広告再生管理情報とに従って再生条件を決定する(ステップ３１４)。次いで、再生処理部４０７は、この再生条件に従って、例えば、この再生条件で示された広告コンテンツを含む再生スケジュールを決定し(ステップ３１５)、この再生スケジュールに従うコンテンツの再生処理を開始して(ステップ３１６)、入力された再生操作に対応する再生スケジュールの決定処理を終了する。
【００６２】
例えば、初期状態において視聴者によってダイジェスト視聴が指示された場合は、該当する再生条件が図４に示した広告再生管理情報の表から選択され、広告ＩＤ欄で示された広告コンテンツＩＤ(Ｃ１ｎ，Ｃ２ｎ)で示される広告コンテンツを、ダイジェスト視聴のために利用者が選択したシーンに先立って再生する再生スケジュールが決定され、この再生スケジュールに従って再生処理が行われる。
【００６３】
その後、新たな再生操作が入力されるごとに、再生処理部４０７は、図５に示した手順を繰り返す。
一方、現在の日時が利用可能期間内でなかった場合に、再生処理部４０７は、再生できない旨を利用者に通知し(ステップ３１９)、再生処理を終了する。
このようにして、広告再生管理情報において再生要求に対応して規定した再生条件に従って番組コンテンツおよび広告コンテンツの再生動作を制御することができる。
【００６４】
ここで、図４に示した広告再生管理情報の例では、様々な再生要求に対応して、広告コンテンツの再生を条件付けて広告コンテンツの視聴機会を確保することにより、広告主の意向が反映されている。一方、早送り後に再生指示が入力された場合など一部の再生条件においてダイジェスト広告に対応する広告コンテンツの再生を条件付けたり、セグメンテーション情報で規定されている再生スケジュールよりは少ない広告コンテンツの再生を条件付けたりして広告の視聴時間を短縮することにより、利用者の意向の反映も図られている。
【００６５】
このように、広告再生管理情報を用いた再生スケジュールの制御を採用することにより、番組コンテンツの再生にあたって動的に再生スケジュールを決定することができ、これにより、番組コンテンツを提供する広告主の意向と視聴者の意向の双方を実際の番組コンテンツおよび広告コンテンツの再生スケジュールに反映することができる。
上述した広告再生管理情報を用いた再生スケジュールの制御では、各再生要求に対応する広告ＩＤ欄に含まれる広告ＩＤを番組コンテンツに対応する他の広告コンテンツを示す広告ＩＤに置き換えることにより、再生条件(例えば、「ダイジェスト視聴に先行して」など)に従って再生される広告コンテンツを容易に変更することができる。
【００６６】
なお、広告再生管理情報が対応付けられていない番組コンテンツについては、従来と同様に、対応する詳細情報メタデータのセグメンテーション情報で示された再生スケジュールに従って再生することができる。したがって、サーバー型受信機２１０の大容量蓄積装置４０４に広告再生管理情報が対応付けられた番組コンテンツと対応付けられていない番組コンテンツとが混在していても全く問題ない。
【００６７】
ところで、多数の利用者に同一の広告コンテンツや広告再生管理情報を伝送する場合には、上述したようなネットワーク経由の配信処理によってそれぞれに伝送するよりも、放送局に放送を委託するなどして放送波による放送によって一括して伝送する方が合理的である。
例えば、図６に示した広告コンテンツサーバー装置２２０において、一括伝送するコンテンツリストや広告再生管理情報は、配信処理部２２７によって放送送出部２２８に渡され、この放送送出部２２８により、適切な経路を介して放送局２３０に送出され、この放送局２３０に備えられたバンク装置２３１に蓄積される。
【００６８】
このようにしてバンク装置２３１に蓄積されたコンテンツリストおよび広告再生管理情報は、図６に示した放送局２３０に備えられた放送波送出装置２３２により、放送局２３０側の放送スケジュールに従って、例えば、通常の番組放送の合間にデジタル放送網によってサーバー型受信機２１０に伝送される。
なお、図６に示した放送送出部２２８から放送局２３０に渡されたコンテンツリストや広告再生管理情報に関する伝送処理が、気象条件などによって未完了となった場合に、配信処理部２２７が未配信の情報をネットワーク通信処理部２２５の機能を利用して配信することにより、配信処理を完了させることができる。
【産業上の利用可能性】
【００６９】
上述したように、本発明にかかわる広告コンテンツ提供方法およびシステムは、サーバー型放送の枠組みの中で民間放送型の放送サービスを継続的に成立させるために必要な仕組み、すなわち、広告の視聴を条件として番組コンテンツを提供する広告主の利益と、番組コンテンツの視聴者の利便性とを両立する仕組みを提供することができる。
これにより、サーバー型放送サービスの分野に、民間放送型の放送サービスという新しいビジネスモデルを成立させることが可能となる。
【００７０】
ここで、サーバー型放送の特徴を考えれば、本発明で提供する広告コンテンツを適宜差し替える仕組みや、早送りやダイジェスト再生などの特殊再生の際にも広告コンテンツの視聴機会を確保する仕組みは、広告主の利益を確保してサーバー型放送サービスの枠組みにおける民間放送型の放送サービスを成立させる上で極めて重要である。
また、本発明で提供する広告コンテンツを適宜差し替える仕組みの採用により、広告主が長期間にわたる番組コンテンツの提供を許諾する環境が整うことから、番組コンテンツの利用可能期間の長期化を図ることが可能となり、視聴者が番組コンテンツを視聴する際の自由度を大幅に向上することができる。これにより、幅広い視聴者を獲得可能なサーバー型放送サービスの枠組みにおける民間放送型の放送サービスを展開することができる。
【図面の簡単な説明】
【００７１】
【図１】本発明にかかわる広告コンテンツ提供システムの実施形態を示す図である。
【図２】本発明にかかわる番組コンテンツおよび広告コンテンツの説明図である。
【図３】広告コンテンツサーバー装置の動作を表す流れ図である。
【図４】広告再生管理情報の例を示す図である。
【図５】番組コンテンツ再生スケジュール決定動作を表す流れ図である。
【図６】本発明にかかわる広告コンテンツ提供システムの別実施形態を示す図である。
【図７】サーバー型受信機の構成例を示す図である。
【符号の説明】
【００７２】
２１０  サーバー型受信機
２１１  蓄積実績報告処理部
２２０  広告コンテンツサーバー装置
２２１  広告コンテンツストレージ
２２２  広告提供管理テーブル
２２３  広告再生管理テーブル
２２４  広告管理部
２２５、４０２  ネットワーク通信処理部
２２６  照合処理部
２２７  配信管理部
２２８  放送送出部
２３０  放送局
２３１  バンク装置
２３２  放送波送出装置
４０１  放送波受信部
４０３  蓄積制御部
４０４  大容量蓄積装置
４０５  ユーザインタフェース部
４０６  メタデータ処理部
４０７  再生処理部
【図１】
2006270678.tif 000003
【図２】
2006270678.tif 000004
【図３】
2006270678.tif 000005
【図４】
2006270678.tif 000006
【図５】
2006270678.tif 000007
【図６】
2006270678.tif 000008
【図７】
2006270678.tif 000009